(57)【要約】【課題】広い範囲で、かつ細かい調整ステップで電気抵抗値を調整すること。【解決手段】この電気抵抗値調整回路１は、第１及び第２端子ＰＣ１、ＰＣ２で、電気抵抗値を調整する必要がある調整対象５へ接続される。また、電気抵抗値調整回路１は、複数の抵抗素子Ｒ１〜Ｒ６が並列に接続される。複数の抵抗素子Ｒ１〜Ｒ６のうち、抵抗素子Ｒ２〜Ｒ４には、これらと直列にショートピン２Ａ〜２Ｄが接続される。所望のショートピンをハンダ付け等によって短絡することにより、短絡させたショートピンと直列に接続される抵抗素子が選択される。これによって、選択された抵抗素子と、抵抗素子Ｒ１と、抵抗素子Ｒ６とが並列に接続されるので、このときの合成抵抗値が、電気抵抗値調整回路１の合成抵抗値となる。【選択図】        図１
2006351710.tif 000002
【特許請求の範囲】
【請求項１】
調整対象へ接続される接続部と、
複数の抵抗素子と、
短絡されることによって、前記接続部と複数の前記抵抗素子のうち少なくとも一つの前記抵抗素子とを導通する１又は複数の短絡手段と、
を含んで構成されることを特徴とする電気抵抗値調整回路。
【請求項２】
前記短絡手段と前記接続部とは導電体で接続され、
前記導電体は、
前記短絡手段同士の間における断面積が、前記短絡手段における断面積よりも小さいことを特徴とする請求項１に記載の電気抵抗値調整回路。
【請求項３】
少なくとも複数の前記短絡手段は、非平行に配列されることを特徴とする請求項１又は請求項２に記載の電気抵抗値調整回路。
【請求項４】
前記短絡手段は、前記接続部と前記抵抗素子との間に設けられていることを特徴とする請求項１〜請求項３のいずれか一項に記載の電気抵抗値調整回路。
【発明の詳細な説明】
【技術分野】
【０００１】
本発明は、例えば、電気、電子回路において、電気抵抗値を調整することに関する。
【背景技術】
【０００２】
可変抵抗器は、電気回路や電子回路において、電流や電圧の微調整等に用いられる。特許文献１には、可変抵抗器を用いて、光ディスク装置に用いられる光ピックアップのレーザーダイオードを駆動する電流を微調整して、前記レーザーダイオードから所望の発光強度を得る技術が開示されている。
【０００３】
【特許文献１】特開２００１−２４４５５５号公報
【発明の開示】
【発明が解決しようとする課題】
【０００４】
ところで、可変抵抗器は、広い範囲で抵抗値を調整する場合には、調整ステップが大きくなるため、微調整が難しい。一方、抵抗値の調整ステップを細かくすると、抵抗値を調整できる範囲が狭くなる。
【０００５】
そこで、本発明は、上述した課題をその一例として解決するものであって、広い範囲で、かつ細かい調整ステップで電気抵抗値を調整できる電気抵抗値調整回路を提供することを目的とする。
【課題を解決するための手段】
【０００６】
請求項１に記載の発明は、調整対象へ接続される接続部と、複数の抵抗素子と、短絡されることによって、前記接続部と複数の前記抵抗素子のうち少なくとも一つの前記抵抗素子とを導通する１又は複数の短絡手段と、を含んで構成されることを特徴とする。
【発明を実施するための最良の形態】
【０００７】
以下、この発明につき、図面を参照しつつ詳細に説明する。なお、この発明を実施するための最良の形態（以下実施形態という）によりこの発明が限定されるものではない。また、以下に説明する実施の形態における構成要素には、当業者が容易に想定できるもの、あるいは実質的に同一のものが含まれる。なお、本発明は、電気抵抗値の調整を要する場合全般に適用できる。
【０００８】
（実施形態）
この実施形態は、電気抵抗値調整回路が備える短絡手段を短絡させることにより、並列又は直列に配列される複数の抵抗素子から特定の抵抗素子を選択することにより、電気抵抗値調整回路の合成抵抗値を変更する点に特徴がある。次に、この実施形態に係る電気抵抗値調整回路について説明する。
【０００９】
図１は、この実施形態に係る電気抵抗値調整回路を含む電気回路を示す概念図である。図１に示す電気回路には、この実施形態に係る電気抵抗値調整回路１の構成が示してある。この電気抵抗値調整回路１は、電気抵抗値を調整する必要がある調整対象５へ接続される。調整対象５は、電気抵抗値調整回路１の電気抵抗値を調整することにより、電気抵抗値調整回路１に接続される調整対象５の端子間における電圧値又は前記端子間を流れる電流値を変化させることができる。これによって、例えば、調整対象５の周波数や電機出力その他の特性等が調整される。このような特性調整対象５としては、例えば、光ディスク装置に用いられるレーザーダイオードの駆動装置や、増幅回路のゲイン調整回路等のようなものがあげられる。
【００１０】
電気抵抗値調整回路１の接続部は、第１端子ＰＣ１と第２端子ＰＣ２で構成されており、第１端子ＰＣ１と第２端子ＰＣ２とは、調整対象５に接続されている。電気抵抗値調整回路１により電気抵抗値（以下抵抗値）を調整すると、第１端子ＰＣ１と第２端子ＰＣ２との間の電気抵抗値が変化するので、調整対象５が所望する抵抗値に調整することができる。
【００１１】
この実施形態に係る電気抵抗値調整回路１は、複数の抵抗素子Ｒ１〜Ｒ６が、第１導電通路３と、第２導電通路４とに接続される。ここで、第１導電通路３は第１端子ＰＣ１に接続され、第２導電通路４は第２端子ＰＣ２に接続される。図１に示す例においては、複数の抵抗素子Ｒ１〜Ｒ６が、それぞれ並列に接続される。この実施形態に係る電気抵抗値調整回路１では、抵抗素子Ｒ１〜Ｒ６は、それぞれ異なる抵抗値であるが、抵抗素子Ｒ１〜Ｒ６は同じ抵抗値としてもよい。また、抵抗素子Ｒ１〜Ｒ６のうち２以上の抵抗素子を同じ抵抗値としてもよい。抵抗素子Ｒ１〜Ｒ６の抵抗値は、電気抵抗値調整回路１の仕様に応じて適宜設定される。
【００１２】
抵抗素子Ｒ１〜Ｒ６のうち、抵抗素子Ｒ２、Ｒ３、Ｒ４、Ｒ５には、それぞれ直列に短絡手段が接続される。この実施形態において、短絡手段は、抵抗素子Ｒ２、Ｒ３、Ｒ４、Ｒ５と、接続部を構成する第２端子ＰＣ２との間に設けられている。そして、抵抗素子Ｒ２、Ｒ３、Ｒ４、Ｒ５と、接続部を構成する第２端子ＰＣ２とは、導電体により電気的に接続されている。なお、短絡手段は、第２導電通路４を介して第２端子ＰＣ２と接続される。
【００１３】
短絡手段は、通常は非導通の状態であるが、ハンダ付けやロウ付け、導電性接着剤の塗布その他の手段によって電気を導通させることができる。この実施形態において、短絡手段は、抵抗素子Ｒ２、Ｒ３、Ｒ４、Ｒ５に接続される第１導電体２Ｒと、第２導電通路４を介して第２端子ＰＣ２に接続される第２導電体２Ｓとで構成されるショートピン２Ａ〜２Ｂである。
【００１４】
そして、ショートピン２Ａ〜２Ｄを、ハンダやロウ付け等によって短絡させると、短絡させたショートピンに接続される抵抗素子を選択することができる。これによって、複数の抵抗素子Ｒ２、Ｒ３、Ｒ４、Ｒ５から所望の抵抗素子を選択することができる。そして、選択された抵抗素子により、電気抵抗値調整回路１の合成抵抗値が決定される。
【００１５】
例えば、ショートピン２Ａの第１及び第２導電体２Ｒ、２Ｓをハンダ付けすることによって短絡させ、他のショートピン２Ｂ〜２Ｄは非導通のままとする。この実施形態に係る電気抵抗値調整回路１は、抵抗素子Ｒ１〜Ｒ６が並列に接続されているので、ショートピン２Ａを短絡させると、抵抗素子Ｒ１、Ｒ２及びＲ６が並列に接続されることになる。この場合の合成抵抗値Ｒの逆数１／Ｒは、式（１）で求めることができる。
１／Ｒ＝１／Ｒ１＋１／Ｒ２＋１／Ｒ６・・・（１）
【００１６】
また、ショートピン２Ｂの第１及び第２導電体２Ｒ、２Ｓをハンダ付けすることによって短絡させ、他のショートピン２Ａ、２Ｃ、２Ｄは非導通のままとすると、この場合の合成抵抗値Ｒの逆数１／Ｒは、式（２）で求めることができる。
１／Ｒ＝１／Ｒ１＋１／Ｒ３＋１／Ｒ６・・・（２）
【００１７】
一般に、ｎ個（ｎは自然数）抵抗素子を並列に接続した場合の合成抵抗値Ｒの逆数は、式（３）で表される。
１／Ｒ＝１／Ｒ１＋１／Ｒ２＋・・・１／Ｒｎ・・・（３）
この実施形態に係る電気抵抗値調整回路１は、短絡させるショートピンに対応する抵抗素子を選択できる。したがって、電気抵抗値調整回路１の合成抵抗値、すなわち接続部を構成する第１端子ＰＣ１と第２端子ＰＣ２との間の抵抗値は、選択した抵抗素子の抵抗値を式（３）に代入することで求めることができる。
【００１８】
なお、上記説明のように、ショートピン２Ａ〜２Ｄのうち一つを短絡させて、複数の抵抗素子Ｒ２〜Ｒ５のうち一つを選択することもできるが、ショートピン２Ａ〜２Ｄのうち２以上を短絡させて、複数の抵抗素子Ｒ２〜Ｒ４から２以上の抵抗素子を選択してもよい。このようにすることで、電気抵抗値調整回路１の合成抵抗値を、より細かく調整することができる。次に、この実施形態に係る電気抵抗値調整回路１の構成例を説明する。
【００１９】
図２は、この実施形態に係る電気抵抗値調整回路の構成例を示す平面図である。図３は、図２のＸ−Ｘ断面図である。この実施形態に係る電気抵抗値調整回路１は、プリント基板に抵抗素子のチップ部品を実装したものである。なお、図１に示す電気抵抗値調整回路１においては、６個の抵抗素子Ｒ１〜Ｒ６を示しているが、図２においてはそのうちの一部を示している。
【００２０】
第１導電通路３と、第２導電通路４と、短絡手段であるショートピン２Ａ、２Ｂ等を構成する第１導電体２Ｒとは、プリント基板の基材８（図３）上にランド部としてパターンニングされている。なお、この例において、短絡手段であるショートピン２Ａ、２Ｂ等を構成する第２導電体２Ｒは、第２導電通路４と一体としてパターンニングされている。
【００２１】
図２、図３に示すように、第１導電通路３と、ショートピン２Ａ、２Ｂ等を構成する第１導電体２Ｒとの間には、チップ部品として抵抗チップ６1〜６3が実装される。なお、抵抗チップ６1〜６3は、図１の抵抗素子Ｒ２〜Ｒ３に相当する。抵抗チップ６1〜６3は、第１導電通路３と第１導電体２Ｒとにハンダ９によって取り付けられる。
【００２２】
図２、図３に示すように、ショートピン２Ａ、２Ｂ等を構成する第１導電体２Ｒと第２導電体２Ｓとは、所定の間隔をもって設けられている。これにより、短絡手段であるショートピン２Ａ、２Ｂ等は、ハンダ等で短絡しない限り、通常は非導通の状態となる。第１導電体２Ｒ上には、抵抗チップ６1等を実装したときのハンダ９がのっている。電気抵抗値調整回路１の製造工程において、第２導電体２Ｓ上にもハンダ９をのせる。これは、第１導電体２Ｒと第２導電体２Ｓとを短絡するときに、ハンダ付けしやすいようにするためである。なお、第１導電体２Ｒや第２導電体２Ｓ上にのせるハンダ９は、部品を実装する際のリフローハンダとしてもよい。
【００２３】
電気抵抗値調整回路１の合成抵抗値を調整する際には、ショートピン２Ａ、２Ｂ等を構成する第１導電体２Ｒと第２導電体２Ｓとの間をハンダ付けにより短絡させることにより、所望の抵抗チップ（抵抗素子）を選択する。すなわち、図３に示すように、ハンダ鏝１１を用いて第１導電体２Ｒと第２導電体２Ｓとの間にハンダ１０をのせて、両者をハンダ付けする。
【００２４】
この実施形態に係る電気抵抗値調整回路１では、第２導電通路４に設けられる第２導電体２Ｓ間に、平面視でくびれ部７を設ける。これによって、導電体である第２導電通路４は、短絡手段を構成する第２導電体２Ｓ同士の間における断面積が、短絡手段を構成する第２導電体２Ｓの断面積よりも小さくなる。その結果、第１導電体２Ｒと第２導電体２Ｓとの間をハンダ付けする際に、隣接する抵抗チップへ伝わる熱を低減できるので、ハンダ付け時における熱の影響を低減できる。
【００２５】
ここで、断面積とは、電流の流れる断面積をいい、この例では、プリント基板の基材８に直交する平面内における断面積をいう。また、平面視とは、複数の短絡手段が配列される面に対して直交する方向から見た状態をいう。例えば、この実施形態においては、プリント基板の基材８の表面に複数の短絡手段が配列されるので、前記基材８の表面に対して直交する方向から見た状態が、平面視に相当する。
【００２６】
この実施形態に係る電気抵抗値調整回路１は、短絡手段をハンダ付けやロウ付けその他の手段によって短絡させることにより、並列に接続される複数の抵抗素子Ｒ２〜Ｒ５から所望の抵抗素子を選択して、電気抵抗値調整回路１の合成抵抗値を変更する。これにより、電気抵抗値調整回路１では、確実に所望の合成抵抗値を得ることができる。また、短絡手段であるショートピン２Ａ〜２Ｄによって選択可能とする抵抗素子Ｒ２〜Ｒ５を並列に接続するので、選択する抵抗素子の組み合わせのバリエーションを多くすることができる。その結果、細かいステップで、電気抵抗値調整回路１の合成抵抗値を変更することができる。
【００２７】
また、特に、可変抵抗器によって抵抗値を調整する場合には、機械的なずれによって、調整後の抵抗値がずれる場合がある。しかし、この電気抵抗値調整回路１では、機械的なずれは発生しないため、電気抵抗値調整回路１の合成抵抗値の調整後においては、合成抵抗値がずれることはほとんどない。これによって、合成抵抗値を調整した後の検査を省略することもできる。また、この電気抵抗値調整回路１は、可動部を備えないので、信頼性も向上する。
【００２８】
可変抵抗器を用いる場合、抵抗値の調整幅を大きくすると抵抗値を細かく調整できず、抵抗値を細かく調整しようとすると抵抗値の調整幅を大きくできない。すなわち、可変抵抗器では、抵抗値の調整幅と抵抗値の調整ステップとを両立させることはほとんど不可能である。この実施形態に係る電気抵抗値調整回路１は、短絡手段によって複数の抵抗素子から所望の抵抗素子を選択することにより、電気抵抗値調整回路１の合成抵抗値を変更する。このため、電気抵抗値調整回路１を構成する抵抗素子の組み合わせによって、合成抵抗値の調整幅を大きくしつつ、合成抵抗値の調整ステップを細かく設定することができる。この場合、抵抗素子の抵抗値や数の選択、あるいは選択する抵抗素子の組み合わせによって、より大きい調整幅とより細かい調整ステップとで、電気抵抗値調整回路１の合成抵抗値を調整することができる。
【００２９】
さらに、この実施形態に係る電気抵抗値調整回路１は、短絡手段を短絡させるだけで合成抵抗値を調整できる。このため、この実施形態に係る電気抵抗値調整回路１は、抵抗素子を付け替えることによって抵抗値を調整する場合と比較して、抵抗素子の付け替えの手間を大幅に軽減できるため、作業性が向上する。また、抵抗素子の付け替えに伴う基板等の耐久性低下も極めて軽微に抑えることができる。さらに、抵抗素子は抵抗チップで構成することができるので、抵抗素子の付け替えや可変抵抗器を用いる場合と比較して、省スペース化を図ることができる。また、抵抗チップの部品単価は、可変抵抗器と比較して安価であるので、電気抵抗値調整回路１の製造コストを低減することができる。
【００３０】
（第１変形例）
変形例１に係る電気抵抗値調整回路は、上記実施形態に係る電気抵抗値調整回路と略同様の構成であるが、少なくとも前記短絡手段が、平面視で非平行に配列される点が異なる。他の構成は、上記実施形態と同様である。図４−１、図４−２は、この実施形態の第１変形例に係る電気抵抗値調整回路を示す平面図である。
【００３１】
図４−１に示す電気抵抗値調整回路１ｂは、平面視において、抵抗素子Ｒ２〜Ｒ４がそれぞれ平行に配置されるとともに、これらに対して直列に接続されるショートピン（短絡手段である）２Ａ〜２Ｃは、平面視においてそれぞれ非平行に配置される。すなわち、平面視において、ショートピン２Ａは、ショートピン２Ｂに対して傾斜して配置され（傾斜角度β）、ショートピン２Ｃは、ショートピン２Ｂに対して傾斜して配置される（傾斜角度α）。そして、ショートピン２Ａは、ショートピン２Ｃに対して傾斜角度（α＋β）をもって配置される。
【００３２】
図４−２に示す電気抵抗値調整回路１ｃは、平面視において、ショートピン２Ａ〜２Ｃとともに、これらに対して直列に接続される抵抗素子Ｒ２〜Ｒ４も非平行に配置される。すなわち、平面視において、ショートピン２Ａ及び抵抗素子Ｒ２は、ショートピン２Ｂ及び抵抗素子Ｒ３に対して傾斜して配置され（傾斜角度β）、ショートピン２Ｃ及び抵抗素子Ｒ４は、ショートピン２Ｂ及び抵抗素子Ｒ３に対して傾斜して配置される（傾斜角度α）。そして、ショートピン２Ａ及び抵抗素子Ｒ２は、ショートピン２Ｃ及び抵抗素子Ｒ４に対して傾斜角度（α＋β）をもって配置される。
【００３３】
このように構成することにより、抵抗素子Ｒ２〜Ｒ４を接近させて配置した場合でも、短絡手段であるショートピン２Ａ〜２Ｃの間隔を大きくとることができるので、ショートピン２Ａ〜２Ｃを短絡させるためのハンダ付け作業が容易になる。その結果、作業効率が向上するとともに、より確実に短絡できる。
【００３４】
（第２変形例）
この実施形態の第２変形例は、上記実施形態と略同様の構成であるが、複数の抵抗素子が直列に接続される点が異なる。他の構成は、上記実施形態と同様である。図５は、この実施形態に係る電気抵抗値調整回路を含む電気回路を示す概念図である。図５に示す電気回路には、この変形例に係る電気抵抗値調整回路１ａの構成が示してある。この電気抵抗値調整回路１ａは、電気抵抗値を調整する必要がある調整対象５へ接続される。
【００３５】
電気抵抗値調整回路１ａの接続部は、第１端子ＰＣ１と第２端子ＰＣ２で構成されており、第１端子ＰＣ１と第２端子ＰＣ２とは、調整対象５に接続されている。この変形例に係る電気抵抗値調整回路１ａは、複数の抵抗素子Ｒ１〜Ｒ５が直列に接続される。抵抗素子Ｒ１は、第１導電通路３を介して第１端子ＰＣ１に接続され、抵抗素子Ｒ５は、第２導電通路４を介して第２端子ＰＣ２に接続される。
【００３６】
なお、この変形例に係る電気抵抗値調整回路１ａでは、抵抗素子Ｒ１〜Ｒ５は、それぞれ異なる抵抗値であるが、抵抗素子Ｒ１〜Ｒ５は同じ抵抗値としてもよい。また、抵抗素子Ｒ１〜Ｒ５のうち２以上の抵抗素子を同じ抵抗値としてもよい。抵抗素子Ｒ１〜Ｒ５の抵抗値は、電気抵抗値調整回路１ａの仕様に応じて適宜設定される。
【００３７】
この変形例に係る電気抵抗値調整回路１ａは、抵抗素子間と第２導電通路４との間に、短絡手段であるショートピン２Ａ〜２Ｄが設けられる。この変形例では、抵抗素子Ｒ１−Ｒ２間と第２導電通路４との間、抵抗素子Ｒ２−Ｒ３間と第２導電通路４との間、抵抗素子Ｒ３−Ｒ４間と第２導電通路４との間、抵抗素子Ｒ４−Ｒ５間と第２導電通路４との間に、それぞれ短絡手段であるショートピン２Ａ〜２Ｄが設けられる。
【００３８】
短絡手段であるショートピン２Ａ〜２Ｄを短絡させる前は、すべてのショートピン２Ａ〜２Ｄは非導通なので、電気抵抗値調整回路１ａを流れる電流は、第１端子ＰＣ１から第１導電通路３、抵抗素子Ｒ１〜Ｒ５、第２導電通路４を通って第２端子ＰＣ２へ流れる。ハンダやロウ付け等によってショートピン２Ａ〜２Ｄを短絡させると、電気抵抗値調整回路１ａを流れる電流は、短絡させたショートピンを通る。このため、短絡させたショートピンよりも接続部、すなわち第１及び第２端子ＰＣ１、ＰＣ２側の抵抗素子が選択されて、これらの抵抗素子が直列に接続される抵抗回路を構成する。
【００３９】
例えば、ショートピン２Ａの第１及び第２導電体２Ｒ、２Ｓをハンダ付けすることによって短絡させ、他のショートピン２Ｂ〜２Ｄは非導通のままとする。この状態では、抵抗素子Ｒ１が選択される。このときの電気抵抗値調整回路１ａの合成抵抗値Ｒは、式（４）で求めることができる。
Ｒ＝Ｒ１・・・（４）
【００４０】
また、ショートピン２Ｂの第１及び第２導電体２Ｒ、２Ｓをハンダ付けすることによって短絡させ、他のショートピン２Ａ、２Ｃ、２Ｄは非導通のままとすると、抵抗素子Ｒ１、Ｒ２が選択される。抵抗素子Ｒ１、Ｒ２は直列に接続されているので、このときの電気抵抗値調整回路１ａの合成抵抗値Ｒは、式（５）で求めることができる。
Ｒ＝Ｒ１＋Ｒ２・・・（５）
【００４１】
また、すべてのショートピン２Ａ〜２Ｄを短絡させない場合には、この電気抵抗値調整回路１ａが備えるすべての抵抗素子Ｒ１〜Ｒ５が選択される。すべての抵抗素子Ｒ１〜Ｒ５は直列に接続されているので、このときの電気抵抗値調整回路１ａの合成抵抗値Ｒは、式（６）で求めることができる。
Ｒ＝Ｒ１＋Ｒ２＋Ｒ３＋Ｒ４＋Ｒ５・・・（６）
【００４２】
このように、この変形例に係る電気抵抗値調整回路１ａは、ショートピンを短絡させることによって、抵抗素子が直列に接続される抵抗回路を構成し、当該抵抗回路が備える抵抗素子によって、電気抵抗値調整回路１ａの合成抵抗値が決定される。そして、短絡させるショートピンを選択することにより、電気抵抗値調整回路１ａの合成抵抗値を調整することができる。
【００４３】
以上、この実施形態及びその変形例では、電気抵抗値を調整する必要がある調整対象５へ接続される接続部（第１及び第２端子ＰＣ１、ＰＣ２）と、導電体により前記接続部へ電気的に接続される複数の抵抗素子Ｒ２〜Ｒ５と、前記接続部と前記抵抗素子との間に設けられ、かつ、前記接続部及び前記抵抗素子とは導電体により電気的に接続されており、短絡させることにより複数の前記抵抗素子から所望の抵抗素子を選択する、複数の短絡手段（ショートピン２Ａ〜２Ｄ）と、を含んで構成される。これにより、広い範囲で、かつ細かい調整ステップで電気抵抗値を調整できる。
【実施例】
【００４４】
次に、実施例として、光ディスク装置が備える光ピックアップのＬＤドライバの特性を調整する場合について説明する。なお、半導体レーザーダイオードの発光強度の調整等に適用してもよい。図６は、光ディスクドライブの光ピックアップ駆動装置の構成例を示すブロック図である。図６に示す光ピックアップ駆動装置は、光源を備える光ピックアップと、光源駆動手段であるドライバとを含む。光ピックアップ２０は、ＣＤ（Compact Disc）プレーヤやＤＶＤ（Digital Video Disk又はDigital Versatile Disk）プレーヤ（光ディスク装置）に備えられて、ＣＤやＤＶＤ（光ディスク）から情報を読み取ったり、あるいはＣＤやＤＶＤに情報を記録したりする。
【００４５】
光ピックアップ２０は、光源である半導体レーザーダイオード（以下ＬＤ）２１と、光検出素子としてのフォトダイオード（以下ＰＤ）２２がパッケージ内に一体的に設けられた構造の光源が備えられている。そして、ＬＤ２１から射出される光をＣＤやＤＶＤに照射することで、これらに情報を書き込んだり、これらから情報を読み取ったりする。
【００４６】
ＬＤ２１は、ＬＤドライバ３０に接続されている。ＬＤドライバ３０は、コントローラ１４から送られるＬＤ駆動信号に基づいて、ＬＤ２１を駆動する。コントローラ１４は、例えばマイクロコンピュータで構成されている。コントローラ１４にはメモリ１５が接続されている。そして、メモリ１５には、ＬＤドライバ３０の制御に必要な制御プログラムや、読み取った情報の処理、あるいは情報の記録に必要な制御プログラム等が格納されている。
【００４７】
この光ピックアップ２０には、温度検出器２３が設けられており、ＬＤ２１の使用環境温度をモニタする。温度検出器２３の出力は、Ａ／Ｄ（Analog／Digital）コンバータ１３によりディジタル信号に変換され、コントローラ１４に取り込まれる。また、ＰＤ２２の出力は、インバータ（Ｉ／Ｖ）１１で処理された後、Ａ／Ｄコンバータ１２によってディジタル信号に変換され、コントローラ１４に取り込まれる。
【００４８】
ＰＤ２２は、ＬＤ２１から射出される光の一部を検出する。コントローラ１４は、これによって生じる光電流の値を取り込み、前記光電流と基準電流値との電流差分値を算出する。パワー校正部１７は、この電流差分値が常に一定値以下となるように、ＬＤ２１の直流バイアス電流（駆動電流）をフィードバック制御することで、ＬＤ２１の発光強度を一定に保つ。コントローラ１４に接続されるディスク判別部１６は、コントローラ１４を介して、光ピックアップ２０からの出力値を取得し、光ディスクの有無や光ディスクの種類等を判別する。
【００４９】
図６に示す光ピックアップ駆動装置が備えるＬＤドライバ３０は、所定の駆動周波数でＬＤ２１を駆動する。このため、駆動周波数の大きさに応じて輻射が発生する。この輻射は、ＬＤ２１の駆動においては、できる限り小さい方が好ましく、理想的には発生しない方がよい。この実施例においては、光ピックアップ駆動装置のＬＤドライバ３０が発生する前記輻射（以下不要輻射という）を所定値よりも小さい値に抑えるため、上記実施形態で説明した電気抵抗値調整回路１（図１）を用いる（図６参照）。なお、この実施例では電気抵抗値調整回路１を用いるが、その変形例に係る電気抵抗値調整回路１ａ、１ｂ等を用いてもよい。
【００５０】
図７は、ＬＤドライバに電気抵抗値調整回路を接続した状態を示す説明図である。図７に示すように、ＬＤドライバ３０と電気抵抗値調整回路１とは、電気抵抗値調整回路１の接続部（第１及び第２端子ＰＣａ、ＰＣｂ）によって電気的に接続される。次に、ＬＤドライバ３０の不要輻射を調整する手順を説明する。
【００５１】
図８は、ＬＤドライバの不要輻射を調整する手順を示すフローチャートである。図９は、ＬＤドライバの不要輻射を調整する際に用いる短絡させるショートピンを記述したテーブルの一例を示す説明図である。ＬＤドライバ３０の不要輻射を調整するにあたって、まず、光ピックアップ駆動装置に部品を実装する（ステップＳ１１）。
【００５２】
次に、部品を実装した光ピックアップ駆動装置を簡易駆動し（ステップＳ１２）、ＬＤドライバ３０の駆動周波数（ＬＤＤ駆動周波数）を測定する（ステップＳ１３）。そして、測定したＬＤＤ駆動周波数が許容範囲内であれば、不要輻射の調整工程を終了して、後工程へ進む（ステップＳ１４：Ｙｅｓ）。測定したＬＤＤ駆動周波数が許容範囲外である場合（ステップＳ１４：Ｎｏ）、電気抵抗値調整回路１が備えるショートピン２Ａ〜２Ｄのうち所望のものをハンダ付けによって短絡する（ステップＳ１５）。これによって電気抵抗値調整回路１の合成抵抗値を調整して、ＬＤドライバ３０の不要輻射を許容範囲内に収める。
【００５３】
ここで、ＬＤＤ駆動周波数と不要輻射とは相関があるので、ＬＤＤ駆動周波数を測定することにより、どの程度不要輻射が発生しているかを推定することができる。そして、不要輻射の値に応じてＬＤドライバ３０に接続された電気抵抗値調整回路１の合成抵抗値を調整することにより、不要輻射を許容範囲内に収めることができる。不要輻射の値、すなわちＬＤＤ駆動周波数と電気抵抗値調整回路１の合成抵抗値の調整量との関係は、予め求めることができる。この関係を予め求めておき、ＬＤＤ駆動周波数に対する電気抵抗値調整回路１の合成抵抗値の調整量、すなわち電気抵抗値調整回路１の短絡させるショートピンを記述したテーブルの一例が、図９に示したテーブルである。なお、このテーブルにおいて、ＬＤＤ駆動周波数は、無次元化した相対値で示してある。
【００５４】
図９に示すように、例えば、ＬＤＤ駆動周波数を測定した結果、ＬＤＤ駆動周波数が１〜２の範囲にある場合には、ショートピン２Ａ（Ａ）をハンダ付けすることにより短絡する。また、ＬＤＤ駆動周波数が３．１〜１２の範囲にある場合には、ショートピン２Ｃ（Ｃ）をハンダ付けすることにより短絡する。これによって、不要輻射を許容範囲内に収めることができる。
【００５５】
電気抵抗値調整回路１のショートピンをハンダ付けにより短絡する作業は、抵抗素子を交換する作業と比較して容易であり、また、何度も抵抗素子を取り外し、付け直す必要はないので、端子部分の耐久性低下はほとんどない。また、可変抵抗器と異なり、この電気抵抗値調整回路１では、広い調整幅、かつ細かい調整ステップで合成抵抗値を調整できるので、抵抗調整作業は容易である。このように、この電気抵抗値調整回路１は、ＬＤドライバ３０の不要輻射を調整する際に有効である。
【００５６】
さらに、可変抵抗器は、複数の抵抗体からなるものが一般的であるため、抵抗値の温度依存性が比較的大きいが、この電気抵抗値調整回路１は抵抗素子で構成されるので、抵抗値の温度依存性は可変抵抗器よりも小さい。特に、ＬＤドライバ３０やＬＤ２１は温度変化の大きい環境で使用されるため、この電気抵抗値調整回路１は有利である。
【００５７】
また、電気抵抗値調整回路１は、可動部分を持たないので、振動等の外乱によって抵抗値は変化しない。この点で、この電気抵抗値調整回路１は、可変抵抗器と比較して有利である。特に、ＬＤドライバ３０は、回転する光ディスクを取り扱う光ディスク装置で用いられる。すなわち、ＬＤドライバ３０は、振動源を有する装置において用いられる。この電気抵抗値調整回路１は、振動等によって電気抵抗値は影響を受けないため、振動源を有する装置においても、好ましく使用することができる。
【図面の簡単な説明】
【００５８】
【図１】この実施形態に係る電気抵抗値調整回路を含む電気回路を示す概念図である。
【図２】この実施形態に係る電気抵抗値調整回路の構成例を示す平面図である。
【図３】図２のＸ−Ｘ断面図である。
【図４−１】この実施形態の第１変形例に係る電気抵抗値調整回路を示す平面図である。
【図４−２】この実施形態の第１変形例に係る電気抵抗値調整回路を示す平面図である。
【図５】この実施形態に係る電気抵抗値調整回路を含む電気回路を示す概念図である。
【図６】光ディスクドライブの光ピックアップ駆動装置の構成例を示すブロック図である。
【図７】ＬＤドライバに電気抵抗値調整回路を接続した状態を示す説明図である。
【図８】ＬＤドライバの不要輻射を調整する手順を示すフローチャートである。
【図９】ＬＤドライバの不要輻射を調整する際に用いる短絡させるショートピンを記述したテーブルの一例を示す説明図である。
【符号の説明】
【００５９】
１、１ａ、１ｂ、１ｃ  電気抵抗値調整回路
２Ａ、２Ｂ、２Ｃ、２Ｄ  ショートピン
２Ｒ  第１導電体
２Ｓ  第２導電体
３  第１導電通路
４  第２導電通路
５  調整対象
６1、６2、６3、６4  抵抗チップ
７  くびれ部
９、１０  ハンダ
２０  光ピックアップ
３０  ＬＤドライバ
【図１】
2006351710.tif 000003
【図２】
2006351710.tif 000004
【図３】
2006351710.tif 000005
【図４−１】
2006351710.tif 000006
【図４−２】
2006351710.tif 000007
【図５】
2006351710.tif 000008
【図６】
2006351710.tif 000009
【図７】
2006351710.tif 000010
【図８】
2006351710.tif 000011
【図９】
2006351710.tif 000012